(57)【要約】      （修正有）【課題】より多数のワークピースを特に効率的な方法で作製することを可能にする三次元ワークピースの製造装置において用いられる接触装置を提供する。【解決手段】接触装置４４はワークピースを受けるように適合された交換可能な構築チャンバー２０と、構築チャンバー支持部３８とを有する。第１の接触部４６が構築チャンバー２０に固定され、電気伝導部４８を具備し、第１の平坦な導電面５０が設けられている。第２の接触部５２が構築チャンバー支持部３８に固定され、第２の電気伝導部５４を具備し、第２の電気伝導部５４には第２の平坦な導電面５６が設けられている。第１の平坦な導電面５０と第２の平坦な導電面５６は、構築チャンバー２０を構築チャンバー支持部３８上に支持するときに、交換可能な構築チャンバー２０と構築チャンバー支持部３８との間で電気的な接続が形成されるように、相互に作用するように適合される。【選択図】図２
2016121392.tif 000002
【特許請求の範囲】
【請求項１】
複数の原料粉末層に電磁放射線又は粒子放射線を照射することによって三次元ワークピースを製造する装置（１０）において用いられる接触装置（４４）であって、
累積的な積層プロセスによって前記装置（１０）内に作製されるワークピースを受けるように適合された交換可能な構築チャンバー（２０）と、
前記交換可能な構築チャンバー（２０）を支持するように適合された構築チャンバー支持部（３８）と、
第１の平坦な導電面（５０）が設けられた少なくとも１つの第１の電気伝導部（４８）を具備し、前記交換可能な構築チャンバー（２０）に固定された第１の接触部（４６）と、
第２の平坦な導電面（５６）が設けられた少なくとも１つの第２の電気伝導部（５４）を具備し、前記構築チャンバー支持部（３８）に固定された第２の接触部（５２）とを有し、
前記第１の接触部（４６）の第１の電気伝導部（４８）に設けられた前記第１の平坦な導電面（５０）と前記第２の接触部（５２）の第２の電気伝導部（５４）に設けられた第２の平坦な導電面（５６）は、前記交換可能な構築チャンバー（２０）を前記構築チャンバー支持部（３８）上に支持するときに、前記交換可能な構築チャンバー（２０）と前記構築チャンバー支持部（３８）との間で電気的な接続が形成されるように、相互に作用するように適合されたものであることを特徴とする接触装置。
【請求項２】
前記第１の接触部（４６）は、前記第１の電気伝導部（４８）に設けられた前記第１の平坦な導電面（５０）が前記交換可能な構築チャンバー（２０）の底面（４２）の領域内に配置されるように前記交換可能な構築チャンバー（２０）に固定されており、かつ、前記第２の接触部（５２）は、前記第２の電気伝導部（５４）に設けられた前記第２の平坦な導電面（５６）が前記構築チャンバー支持部（３８）の支持面（４０）の領域内に配置されるように前記構築チャンバー支持部（３８）に固定されているものであることを特徴とする請求項１に記載の接触装置。
【請求項３】
前記第１及び第２の接触部（４６、５２）の少なくとも一方は、前記第１及び第２の電気伝導部（４８、５４）をそれぞれ収容するための少なくとも１つの凹部（６４、５８）が設けられた基盤部（６２、６０）を有するものであることを特徴とする請求項１又は請求項２に記載の接触装置。
【請求項４】
前記第１の電気伝導部（４８）は、該第１の電気伝導部（４８）に設けられた前記第１の平坦な導電面（５０）が前記基盤部（６２）の表面（６６）から突き出る第１の位置と、前記第１の電気伝導部（４８）に設けられた前記第１の平坦な導電面（５０）が前記基盤部（６２）の表面（６６）と同じ高さで配置される第２の位置との間で、前記第１の接触部（４６）の前記基盤部（６２）に対して移動可能であることを特徴とする請求項３に記載の接触装置。
【請求項５】
前記第２の電気伝導部（５４）は、該第２の電気伝導部（５４）に設けられた前記第２の平坦な導電面（５６）が前記基盤部（６０）の表面（６１）から突き出る第１の位置と、前記第２の電気伝導部（５４）に設けられた前記第２の平坦な導電面（５６）が前記基盤部（６０）の表面（６１）と同じ高さで配置される第２の位置との間で、前記第２の接触部（５２）の前記基盤部（６０）に対して移動可能であることを特徴とする請求項３又は請求項４に記載の接触装置。
【請求項６】
前記第１及び第２の電気伝導部（４８、５４）の少なくとも一方は、付勢手段（６８）によって、前記第１の位置に偏らされていることを特徴とする請求項４又は請求項５に記載の接触装置。
【請求項７】
複数の原料粉末層に電磁放射線又は粒子放射線を照射することによって三次元ワークピースを製造する装置（１０）であって、
照射手段（１４）と、
プロセスチャンバー（１６）と、
前記プロセスチャンバー（１６）に隣接して配置されるように適合された交換可能な構築チャンバー（２０）と、
原料粉末を受けるためのキャリア（１８）であって、前記プロセスチャンバー（１６）内で累積的な積層プロセスによって前記キャリア（１８）上の原料粉末から作製されるワークピースをも受け、累積的な積層プロセスによって前記プロセスチャンバー（１６）内に作製されたワークピースを前記交換可能な構築チャンバー（２０）へ移すために、前記プロセスチャンバー（１６）に対して前記交換可能な構築チャンバー（２０）内に移動可能なキャリア（１８）と、
前記交換可能な構築チャンバー（２０）を支持するように適合された構築チャンバー支持部（３８）と、
第１の平坦な導電面（５０）が設けられた少なくとも１つの第１の電気伝導部（４８）を具備し、前記交換可能な構築チャンバー（２０）に固定された第１の接触部（４６）と、
第２の平坦な導電面（５６）が設けられた少なくとも１つの第２の電気伝導部（５４）を具備し、前記構築チャンバー支持部（３８）に固定された第２の接触部（５２）とを有し、
前記第１の接触部（４６）の第１の電気伝導部（４８）に設けられた前記第１の平坦な導電面（５０）と前記第２の接触部（５２）の第２の電気伝導部（５４）に設けられた第２の平坦な導電面（５６）は、前記交換可能な構築チャンバー（２０）を前記構築チャンバー支持部（３８）上に支持するときに、前記交換可能な構築チャンバー（２０）と前記構築チャンバー支持部（３８）との間で電気的な接続が形成されるように、相互に作用するように適合されたものであることを特徴とする装置。
【請求項８】
前記構築チャンバー支持部（３８）は、前記プロセスチャンバー（１６）に隣接して配置される間、前記交換可能な構築チャンバー（２０）を支持するように適合されたものであることを特徴とする請求項７に記載の装置。
【請求項９】
さらに、前記交換可能な構築チャンバー（２０）が前記プロセスチャンバー（１６）に隣接して配置される前又は後に前記交換可能な構築チャンバー（２０）を収容するように適合された前後処理部（２６）を具備し、該前後処理部（２６）は前記交換可能な構築チャンバー（２０）を収容している間に加熱するための加熱手段（３０）が設けられた加熱部（２８）を備えるものであることを特徴とする請求項７又は請求項８に記載の装置。
【請求項１０】
前記構築チャンバー支持部（３８）は、前記加熱部（２８）に配置されている間、前記交換可能な構築チャンバー（２０）を支持するように適合されたものであることを特徴とする請求項９に記載の装置。
【請求項１１】
複数の原料粉末層に電磁放射線又は粒子放射線を照射することによって三次元ワークピースを製造する装置（１０）を稼働する方法であって、
累積的な積層プロセスによって前記装置（１０）内に作製されるワークピースを受けるように適合された交換可能な構築チャンバー（２０）を準備し、第１の平坦な導電面（５０）が設けられた少なくとも１つの第１の電気伝導部（４８）を備える第１の接触部（４６）を前記交換可能な構築チャンバー（２０）に固定する工程と、
前記交換可能な構築チャンバー（２０）を支持するように適合された構築チャンバー支持部（３８）を準備し、第２の平坦な導電面（５６）が設けられた少なくとも１つの第２の電気伝導部（５４）を備える第２の接触部（５２）を前記構築チャンバー支持部（３８）に固定する工程と、
前記構築チャンバー支持部（３８）上に前記交換可能な構築チャンバー（２０）を配置し、それにより、前記第１の接触部（４６）の第１の電気伝導部（４８）に設けられた前記第１の平坦な導電面（５０）と前記第２の接触部（５２）の第２の電気伝導部（５４）に設けられた前記第２の平坦な導電面（５６）とが作用することを可能にして、前記交換可能な構築チャンバー（２０）と前記構築チャンバー支持部（３８）の間で電気的な接続を形成する工程とを有することを特徴とする方法。
【請求項１２】
前記構築チャンバー支持部（３８）は、前記装置（１０）のプロセスチャンバー（１６）に隣接して配置される間、前記交換可能な構築チャンバー（２０）を支持することを特徴とする請求項１１に記載の方法。
【請求項１３】
前記交換可能な構築チャンバー（２０）は前記装置（１０）の前後処理部（２６）の加熱部（２８）内に収容されている間に加熱され、前記前後処理部（２６）は前記交換可能な構築チャンバー（２０）が前記装置（１０）のプロセスチャンバー（１６）に隣接して配置される前又は後に、前記交換可能な構築チャンバー（２０）を収容するように適合されることを特徴とする請求項１１又は請求項１２に記載の方法。
【請求項１４】
前記構築チャンバー支持部（３８）は、前記加熱部（２８）内に配置される間、前記交換可能な構築チャンバー（２０）を支持することを特徴とする請求項１３に記載の方法。
【発明の詳細な説明】
【技術分野】
【０００１】
本発明は、電磁放射線または粒子放射線を複数の原料粉末層に照射することによって三次元ワークピースを製造する装置において用いられる接触装置に関する。さらに、本発明は、そのような接触装置を備える、電磁放射線または粒子放射線を複数の原料粉末層に照射することによって三次元ワークピースを製造する装置とそのような装置を稼働する方法に関する。
【背景技術】
【０００２】
粉末層融解は、粉末の、特に、金属、及び／又は、セラミックの原料を複雑な形状の三次元ワークピースに加工することができる累積的な積層プロセスである。この目的のために、原料粉末の層がキャリア上に塗布され、製造されるワークピースの所望の幾何学的形状に応じて、位置選択的な方法でレーザー放射される。粉末層の中に浸透したレーザー放射線は、原料粉末粒子を加熱し、その結果として、融解又は焼結を引き起こす。さらに、ワークピースが所望の形状と大きさになるまで、原料粉末の複数の層が、既にレーザー処理された、キャリア上の層に連続的に塗布される。粉末層融解は、ＣＡＤデータに基づいて、試作品、工具、交換部品、高価値部品又は医療人工器官、例えば歯科又は整形外科用の人工器官などの製造のために使用され得る。
【０００３】
粉末層融解プロセスによって粉末の原料から多数の成形体を製造するのに好適な装置が、ＤＥ  ２０  ２０１３  ００９  ７８７  Ｕ１に記載されている。その先行技術による装置は、照射手段（装置）とプロセスチャンバーを備えるワークピース作製部を有している。プロセスチャンバーは周囲の雰囲気に対して密封されてよく、原料粉末のみならず、累積的な積層プロセスによってキャリア上の原料粉末から作製されるワークピースをも受けるためのキャリアを収容する。キャリアは、ワークピースを作製する際にその増加する高さを相殺するために、プロセスチャンバーに対して、構築チャンバー内に移動可能とされる。構築チャンバーは、覆い（カバー）によって周囲の雰囲気に対して密封され得り、その後、プロセスチャンバーに隣接する稼働位置からワークピース作製部の外側の交換位置に移動されてもよい。構築チャンバーはさらに、交換位置から、後処理部へ移動される。後処理部において、構築チャンバー内に収容されたワークピースは冷却され、余剰の原料粉末は構築チャンバーから取り除かれ、最終的にワークピースが構築チャンバーから取り出される。構築チャンバーが後処理部へ移されるために交換位置を離れるとすぐに、交換用の構築部が更なるワークピースを製造するために、ワークピース作製部内に導入されてもよい。
【発明の概要】
【発明が解決しようとする課題】
【０００４】
本発明は、電磁放射線または粒子放射線を複数の原料粉末層に照射することによって、より多数のワークピースを特に効率的な方法で作製することを可能にする三次元ワークピースの製造装置において用いられる接触装置を提供することを目的とする。さらに、本発明は、電磁放射線または粒子放射線を複数の原料粉末層に照射することによって、より多数のワークピースを特に効率的な方法で作製することを可能にする三次元ワークピースの製造装置を提供することを目的とする。最後に本発明は、そのような装置を稼働する方法を提供することを目的とする。
【課題を解決するための手段】
【０００５】
この目的は、請求項１の接触装置、請求項７の装置、および請求項１１の方法によって達成される。
【０００６】
複数の原料粉末層に電磁放射線又は粒子放射線を照射することによって三次元ワークピースを製造する装置において用いられる接触装置は、累積的な積層プロセスによって装置内に作製されるワークピースを受けるように適合された交換可能な構築チャンバーを有している。交換可能な構築チャンバーは装置内で、稼働位置、交換位置、及び前処理／後処理位置（前後処理位置）の間で移動可能とされてよい。その稼働位置において、交換可能な構築チャンバーはプロセスチャンバーに隣接して配置されてよく、三次元ワークピースが、キャリアに塗布された複数の原料粉末層を電磁放射線又は粒子放射線で照射することにより、キャリア上に作製される。キャリアは、ワークピースが作製される際の高さの増加を相殺するよう、プロセスチャンバー内で作製されたワークピースを構築チャンバー内へ移すためにプロセスチャンバーに対して変位可能とされてよい。
【０００７】
交換可能な構築チャンバーは、雰囲気に対して密封可能とされてよく、それにより、交換可能な構築チャンバーがその内部に作製されたワークピースを保持した状態で、ワークピースを雰囲気に曝すことなく、その稼働位置から交換位置へ移動され得る。さらに、交換可能な構築チャンバーはその交換位置から前後処理位置に移動されてもよい。交換可能な構築チャンバーがその交換位置から移されるとすぐに、新しい構築チャンバーがプロセスチャンバーに隣接する稼働位置で装置内の適切な場所に据え付けられて、新しいワークピースが作製されてもよい。もちろん、前後処理位置で適切な前後処理を受けたあとで、交換可能な構築チャンバーは装置内で再使用されてよく、すなわち、更なるワークピースを受けるようにその稼働位置に戻されてよい。
【０００８】
接触装置はさらに、交換可能な構築チャンバーを支持するように適合された構築チャンバー支持部を備えている。構築チャンバー支持部は、交換可能な構築チャンバーを所望の位置で保持する限りは、三次元ワークピースの製造装置内のどの場所の接触装置に対して適合されてもよい。例えば、交換可能な構築チャンバーは円柱形状でもよく、特には、実質的に平坦な底面を有する円筒形状でよい。構築チャンバー支持部はさらに、実質的に平板形状に設計されたものでよく、その上に交換可能な構築チャンバーを受けるように実質的に平坦な支持面を有していてよい。
【０００９】
接触装置の第１の接触部は、交換可能な構築チャンバーに固定されており、少なくとも１つの第１の電気伝導部を具備している。第１の電気伝導部には、第１の平坦な導電面が設けられている。第１の電気伝導部は、露出した第１の平坦な導電面が設けられている限りは、どのような適切な設計のものでもよい。例えば、第１の電気伝導部は直方体の形状で設計されてよく、第１の電気伝導部の第１の平坦な導電面はその直方体の複数の側面のうちの１つにより形成されてもよい。必要であれば、第１の接触部は同じ形状又は異なる形状の複数の第１の電気伝導部を備えてよい。
【００１０】
第２の接触部は構築チャンバー支持部に固定されており、少なくとも１つの第２の電気伝導部を具備している。第２の電気伝導部には、第２の平坦な導電面が設けられている。第１の電気伝導部と同様に、第２の電気伝導部も、露出した第２の平坦な導電面が設けられている限りは、どのような適切な設計のものでもよい。例えば、第２の電気伝導部も直方体の形状で設計されてよく、第２の電気伝導部の第２の平坦な導電面はその直方体の複数の側面のうちの１つにより形成されてもよい。必要であれば、第２の接触部は同じ形状又は異なる形状の複数の第２の電気伝導部を備えていてよい。
【００１１】
第１の接触部の第１の電気伝導部に設けられた第１の平坦な導電面と第２の接触部の第２の電気伝導部に設けられた第２の平坦な導電面は、交換可能な構築チャンバーが構築チャンバー支持部上に支持されるときに、交換可能な構築チャンバーと構築チャンバー支持部の間で電気的な接続が形成されるように、相互に作用するように適合される。換言すると、第１及び第２の電気伝導部に設けられた平坦な導電面は、相互に接触するようにされて、それにより、交換可能な構築チャンバーを構築チャンバー支持部に接続して、その結果、交換可能な構築チャンバーを三次元ワークピース製造装置の電気的なシステムに接続するように適合される。第１及び第２の平坦な導電面の形状は、相互に調整されることが好ましく、すなわち、接触装置の好ましい実施態様においては、第１及び第２の平坦な導電面は同一形状であるか、又は少なくとも類似の形状とされる。
【００１２】
第１及び第２の電気伝導部には平坦な導電面が設けられているので、交換可能な構築チャンバーと構築チャンバー支持部の間の電気的な接続は、交換可能な構築チャンバーが構築チャンバー支持部上に載置されるときに、伝導部を損傷する危険性（可能性）なしに、瞬時かつ容易に形成されることができる。同様に、交換可能な構築チャンバーと構築チャンバー支持部の間の電気的な接続は、交換可能な構築チャンバーが構築チャンバー支持部から取り外されたときに、容易に遮断されることができる。従って、接触装置を具備した三次元ワークピース製造装置においては、その装置内の様々な位置の間での交換可能な構築チャンバーの移動が、特に効率的な方法で実行されることができ、その装置は信頼性が高く、保守（メンテナンス）業務を低減しつつ稼働させることができる。
【００１３】
接触装置の好ましい実施態様においては、第１の接触部は、第１の電気伝導部に設けられた第１の平坦な導電面が交換可能な構築チャンバーの底面の領域に配置されるように、交換可能な構築チャンバーに固定される。第２の接触部は、好ましくは、第２の電気伝導部に設けられた第２の平坦な導電面が構築チャンバー支持部の支持面の領域内に配置されるように、構築チャンバー支持部に固定される。接触装置のこの設計は、交換可能な構築チャンバーと構築チャンバー支持部の間の電気的な接続が交換可能な構築チャンバーを構築チャンバー支持部の上に単に降ろすことによって特に容易に形成されることを可能にする。同様に、交換可能な構築チャンバーと構築チャンバー支持部の間の電気的な接続は、構築チャンバー支持部から交換可能な構築チャンバーを単に持ち上げることによって、遮断されることができる。
【００１４】
第１の接触部は、第１の電気伝導部を収容するための少なくとも１つの凹部が設けられた基盤部を備えていてもよい。第１の接触部が１を超える第１の電気伝導部を備えている場合は、第１の接触部の基盤部には複数の凹部が設けられていてもよく、各々の凹部は第１の電気伝導部をそれぞれ収容するように適合される。それに加えて、又はそれに代えて、第２の接触部は、第２の電気伝導部を収容するための少なくとも１つの凹部が設けられた基盤部を備えていてもよい。第２の接触部が１を超える第２の電気伝導部を備えている場合は、第２の接触部の基盤部には複数の凹部が設けられていてもよく、各々の凹部は第２の電気伝導部をそれぞれ収容するように適合される。
【００１５】
第１の電気伝導部は固定された伝導部でよい。すなわち、第１の電気伝導部は、その第１の平坦な導電面が基盤部の表面と同じ高さで配置され、かつ、第１の平坦な導電面と交換可能な構築チャンバーの間の電気的な接続が連続的に形成された状態で第１の接触部の基盤部に固定的に取り付けられてもよい。しかしながら、第１の電気伝導部は第１の接触部の基盤部に対して、第１の位置と第２の位置の間で移動可能であることも考えられる。第１の電気伝導部がその第１の位置に配置されるとき、第１の電気伝導部に設けられた第１の平坦な導電面は、基盤部の表面から突き出していてよい。反対に、第１の電気伝導部がその第２の位置に配置されるとき、第１の電気伝導部に設けられた第１の平坦な導電面は、基盤部の表面と同じ高さで配置されてよい。
【００１６】
基本的に、第２の電気伝導部も固定された伝導部でよい。すなわち、第２の電気伝導部は、その第２の平坦な導電面が基盤部の表面と同じ高さで配置され、かつ、第２の平坦な導電面と構築チャンバー支持部の間の電気的な接続が連続的に形成された状態で第２の接触部の基盤部に固定的に取り付けられてもよい。しかしながら、それに代わり、第２の電気伝導部に設けられた第２の平坦な導電面が基盤部の表面から突き出る第１の位置と、第２の電気伝導部に設けられた第２の平坦な導電面が基盤部の表面と同じ高さで配置される第２の位置との間で、第２の接触部の基盤部に対して移動可能である第２の電気伝導部を第２の接触部に設けることも考えられる。
【００１７】
移動可能な第１の電気伝導部は、付勢手段によってその第１の位置に偏らされていてもよい。同様に、移動可能な第２の電気伝導部も、付勢手段によってその第１の位置に偏らされていてもよい。第１及び／又は第２の電気伝導部に加えられる付勢力により、第１及び／又は第２の電気伝導部は第１の位置に動かされて、第１及び第２の平坦な導電面が接触されたときに、第１の接触部の第１の電気伝導部に設けられた第１の平坦な導電面と第２の接触部の第２の電気伝導部に設けられた第２の平坦な導電面の間に信頼性の高い電気的な接続が形成され得ることが確実となる。付勢手段は、例えば、ばねの形態で設計されてよく、第１又は第２の電気伝導部には約１４Ｎのばね力を加えるのが適切とされてよい。
【００１８】
接触装置は、固定された第１の伝導部と固定された第２の伝導部、又は、移動可能な第１の伝導部と移動可能な第２の伝導部を備えていてよい。さらに、接触装置に１つの固定された伝導部と１つの移動可能な伝導部を備えることも考えられる。この接触装置においては、第１の伝導部は移動可能な設計であることが好ましい。
【００１９】
複数の原料粉末層に電磁放射線又は粒子放射線を照射することによって三次元ワークピースを製造する装置は、照射手段を有している。照射手段は少なくとも１つの放射源、特にレーザー光源と、放射源によって放出される放射ビームを誘導し、及び／又は処理する少なくとも１つの光学ユニットを備えている。光学ユニットは、例えば、対物レンズ、特にｆ−θレンズ、及びスキャナユニットのような光学部品を備えていてよく、スキャナユニットは回折光学素子や偏向ミラーを備えることが好ましい。さらに、装置は、プロセスチャンバー内に制御された雰囲気、特に、不活性の雰囲気を形成及び維持可能とするために、周囲の雰囲気に対して密封し得るプロセスチャンバーを有する。
【００２０】
交換可能な構築チャンバーはプロセスチャンバーに隣接して配置されるように適合される。特に、交換可能な構築チャンバーは、装置内の異なる複数の位置、例えば、プロセスチャンバーに隣接する稼働位置、交換位置、及び／又は、前後処理位置に配置されるように適合されてもよい。装置はさらに、原料粉末のみならず、プロセスチャンバー内で累積的な積層プロセスによってキャリア上の原料粉末から作製されるワークピースをも受けるキャリアを有する。原料粉末は粉末塗布手段によってキャリアに塗布されてよく、好ましくは、金属粉末、特に金属合金粉末であるが、セラミック粉末又は異なる複数の原料を含む粉末でもよい。粉末は、どのような適切な粒子の大きさ又は粒子の大きさの分布を有していてもよい。しかしながら、１００μｍ未満の大きさの粒子の粉末を処理することが好ましい。キャリアはプロセスチャンバー内にワークピースが作製される際にその高さの増加を相殺するために、また、累積的な積層プロセスによってプロセスチャンバー内に作製されたワークピースを交換可能な構築チャンバー内へ移すために、プロセスチャンバーに対して構築チャンバー内に移動可能である。
【００２１】
装置はさらに、交換可能な構築チャンバーを支持するように適合された構築チャンバー支持部を有している。構築チャンバー支持部は、交換可能な構築チャンバーを所望の位置で保持するのに適切である限りは、三次元ワークピースの製造装置内のどの場所に配置されてもよい。
【００２２】
第１の接触部は交換可能な構築チャンバーに固定されており、少なくとも１つの第１の電気伝導部を具備している。第１の電気伝導部には、第１の平坦な導電面が設けられている。第２の接触部は構築チャンバー支持部に固定されており、少なくとも１つの第２の電気伝導部を具備している。第２の電気伝導部には、第２の平坦な導電面が設けられている。第１の接触部の第１の電気伝導部に設けられた第１の平坦な導電面と第２の接触部の第２の電気伝導部に設けられた第２の平坦な導電面は、交換可能な構築チャンバーを構築チャンバー支持部上に支持するときに、交換可能な構築チャンバーと構築チャンバー支持部との間で電気的な接続が形成されるように、相互に作用するように適合される。
【００２３】
接触装置に関して上述した全ての特徴、特に、交換可能な構築チャンバー、構築チャンバー支持部、第１の接触部及び第２の接触部についての特徴は、三次元ワークピース製造装置にも備わっていてよい。
【００２４】
構築チャンバー支持部は、プロセスチャンバーに隣接する稼働位置に配置されている間、交換可能な構築チャンバーを支持するように適合されてよい。
【００２５】
好ましい実施態様において、装置はさらに、交換可能な構築チャンバーがその稼働位置においてプロセスチャンバーに隣接して配置される前又は後に、交換可能な構築チャンバーを収容するように適合された前処理／後処理部（前後処理部）を具備している。前後処理部は、例えば、交換可能な構築チャンバーから余剰の原料粉末を排出する余剰粉末排出部、作製されたワークピースを交換可能な構築チャンバーから取り外すワークピース取り外し部、及び交換可能な構築チャンバーが装置のプロセスチャンバーに隣接する稼働位置に戻されるまで、交換可能な構築チャンバーを保管する保管部を有してもよい。
【００２６】
特に好ましい実施態様において、装置の前後処理部は、交換可能な構築チャンバーが加熱部に収容されている間に交換可能な構築チャンバーを加熱するための加熱手段が設けられた加熱部を有している。加熱部は、交換可能な構築チャンバーがプロセスチャンバーに隣接する稼働位置へ移動される前に、所望の温度まで、空の交換可能な構築チャンバーを加熱するために用いられてよく、プロセスチャンバー内で作製されたワークピースを連続的に収容するために用いられてよい。しかしながら、ワークピースが加熱部内に収容されている間、交換可能な構築チャンバーとワークピースを徐冷するために、交換可能な構築チャンバーを加熱するために加熱部を用いて、それにより、室温まで徐冷される際のワークピース内の熱応力の発生を低減することも考えられる。
【００２７】
加熱部を備える前後処理部を有し、複数の原料粉末層に電磁放射線又は粒子放射線を照射することによって三次元ワークピースを製造する装置は、上述した接触装置とは別に請求されてもよい。加熱部を備える前後処理部に加え、装置は、上述した特徴を備え得る照射手段、プロセスチャンバー、プロセスチャンバーに隣接して配置されるように適合された交換可能な構築チャンバー、及び原料粉末のみならずプロセスチャンバー内で累積的な積層プロセスによってキャリア上の原料粉末から作製されるワークピースをも受けるキャリアを有してよい。キャリアは、累積的な積層プロセスによってプロセスチャンバー内に作製されたワークピースを交換可能な構築チャンバーへ移すために、プロセスチャンバーに対して交換可能な構築チャンバー内に移動可能とされてよい。必要ならば、装置は上述した接触装置を有していてよく、すなわち、装置は上述した第１の接触部と上述した第２の接触部とを有していてよい。
【００２８】
基本的に、本発明の三次元ワークピース製造装置は、構築チャンバー支持部を１つだけ有している。上記したように、前記構築チャンバー支持部はその稼働位置において、交換可能な構築チャンバーを支持するように適合されてよい。しかしながら、交換可能な構築チャンバーが加熱部内に配置されている間、交換可能な構築チャンバーを支持するように適合された構築チャンバー支持部を装置に備えることも考えられる。第１及び第２の接触部を作用させることによって、交換可能な構築チャンバーは、それを加熱するために、加熱部、特に加熱部の加熱手段と電気的に接続されてもよい。もちろん、装置は、例えば、稼働位置において交換可能な構築チャンバーを支持するように適合された第１の構築チャンバー支持部と、加熱部に配置されている間に交換可能な構築チャンバーを支持するように適合された第２の構築チャンバー支持部のような、複数の構築チャンバー支持部を備えていてもよい。
【００２９】
複数の原料粉末層に電磁放射線又は粒子放射線を照射することによって三次元ワークピースを製造する装置を稼働する方法において、累積的な積層プロセスによって装置内に作製されるワークピースを受けるように適合された交換可能な構築チャンバーが準備される。少なくとも１つの第１の電気伝導部を備える第１の接触部が交換可能な構築チャンバーに固定される。第１の電気伝導部には、第１の平坦な導電面が設けられる。さらに、交換可能な構築チャンバーを支持するように適合された構築チャンバー支持部が準備される。少なくとも１つの第２の電気伝導部を備える第２の接触部が構築チャンバー支持部に固定される。第２の電気伝導部には、第２の平坦な導電面が設けられる。構築チャンバー支持部上に交換可能な構築チャンバーを配置し、それにより、第１の接触部の第１の電気伝導部に設けられた第１の平坦な導電面と第２の接触部の第２の電気伝導部に設けられた第２の平坦な導電面とが作用することを可能にして、交換可能な構築チャンバーと構築チャンバー支持部の間で電気的な接続が形成される。
【００３０】
接触装置、特に、交換可能な構築チャンバー、構築チャンバー支持部、第１の接触部、及び第２の接触部に関して上述された全ての特徴は、三次元ワークピース製造装置の稼働方法にも適用されてよい。
【００３１】
方法の好ましい実施態様においては、構築チャンバー支持部は、装置のプロセスチャンバーに隣接して配置されている間、交換可能な構築チャンバーを支持する。
【００３２】
交換可能な構築チャンバーは、装置の前後処理部の加熱部内に収容されている間、加熱されてよく、前後処理部は交換可能な構築チャンバーが装置のプロセスチャンバーに隣接して配置される前又は後に、交換可能な構築チャンバーを収容するように適合される。
【００３３】
構築チャンバー支持部は、加熱部内に配置されている間、交換可能な構築チャンバーを支持してもよい。
【００３４】
添付された概略図を参照して本発明の好ましい態様を以下でより詳細に説明する。
【図面の簡単な説明】
【００３５】
【図１】複数の原料粉末層に電磁放射線又は粒子放射線を照射することによって三次元ワークピースを製造する装置を示す概略図である。
【図２】図１の装置で用いられる接触装置を示す概略図である。
【図３】図２の接触装置の第１の接触部の詳細な三次元概略図である。
【発明を実施するための形態】
【００３６】
図１は、複数の原料粉末層に電磁放射線又は粒子放射線を照射することによって三次元ワークピースを作製するワークピース作製部１２を備える装置１０を示している。ワークピース作製部１２は、照射手段１４とプロセスチャンバー１６を備えている。プロセスチャンバー１６とそのプロセスチャンバー１６を取り囲むワークピース作製部１２の領域は、雰囲気に対して密封可能とされ、プロセスチャンバー１６とそのプロセスチャンバー１６を取り囲むワークピース作製部１２の領域が真空源及び／又は圧力源に接続される際に経由するそれぞれの接続部が設けられる。キャリア１８は、原料粉末のみならず、累積的な積層プロセスによって原料粉末から作製されたワークピースも収容するように機能するプロセスチャンバー１６内に配置される。キャリア１８は、プロセスチャンバー１６に対して、交換可能な構築チャンバー２０内に垂直方向の下方に移動可能とされる。
【００３７】
照射手段１４は放射源、特に、例えば、約１０７０から１０８０ｎｍの波長のレーザー光を放出するダイオード励起イッテルビウムファイバーレーザーのようなレーザー光源と、放射源によって放出される放射ビームを導き、処理する光学ユニットを有する。光学ユニットは、放射ビームを拡大するビームエキスパンダー、スキャナ、対物レンズを有してもよい。その代わりに、光学ユニットは、集束光学部品およびスキャナユニットを含むビームエキスパンダーを有してもよい。スキャナユニットによって、ビーム路の方向とビーム路に垂直な面内の両方における放射ビームの焦点の位置が、変化され、調整されることができる。スキャナユニットは、ガルバノメータースキャナの形態で設計されてよいし、対物レンズはｆ−θレンズでもよい。
【００３８】
装置１０が稼働する間、粉末塗布手段（不図示）により、キャリア１８の表面が原料粉末によって覆われるように、キャリア１８上に原料粉末層を塗布する。その後、キャリア１８に塗布された原料粉末層は、照射手段１４によって放出される放射ビームで選択的に照射される。放射ビームは、製造されるワークピースのＣＡＤデータに応じて、キャリア１８上に塗布された原料粉末層の上方に向けられる。ワークピースの第１の層が完成した後で、キャリア１８はそのキャリア１８上に製造されるワークピースの高さの増加を相殺するために垂直方向に下げられ、それにより、キャリア１８による連続的な粉末層の塗布を可能にする。その後、その連続的な粉末層は照射手段１４によって照射される。このようにして、キャリア１８が交換可能な構築チャンバー２０の中に連続的に下げられる間に、１層ごとに、ワークピースはキャリア１８上に積み上げられる。
【００３９】
構築プロセスの終了後、すなわち、ワークピースが交換可能な構築チャンバー２０内に完全に収容された時に、交換可能な構築チャンバー２０はその最上部に覆い２２を取り付けることによって密閉され、プロセスチャンバー１６に隣接するワークピース作製部１２内のその稼働位置から移動される。交換部２４を経由して、交換可能な構築チャンバー２０は前後処理部２６へ移される。交換可能な構築チャンバー２０が交換部２４の交換位置を離れるとすぐに、新しい空の交換可能な構築チャンバー２０がプロセスチャンバー１６に隣接するワークピース作製部１２内の稼働位置に配置され、更なるワークピースを作製するための新しい構築プロセスが開始されてもよい。
【００４０】
前後処理部２６は、交換可能な構築チャンバー２０が加熱部２８内に収容されている間に交換可能な構築チャンバー２０を加熱する加熱手段３０が設けられた加熱部２８を有している。加熱部２８は、交換可能な構築チャンバー２０がプロセスチャンバー１６に隣接するワークピース作製部１２内の稼働位置に配置される前に空の交換可能な構築チャンバー２０を予備加熱するために用いられてよい。しかしながら、前後処理部２６の加熱部２８内に、新たに作製されたワークピースを収容する交換可能な構築チャンバー２０を配置することも考えられる。加熱部２８の加熱手段３０から交換可能な構築チャンバー２０への熱の移動とそこに収容されたワークピースが、例えば、交換可能な構築チャンバー２０とワークピースとが室温まで徐々に冷却されるように制御されてもよく、その結果、ワークピース内の熱応力が低減される。加熱部２８に加え、前後処理部２６はさらに、交換可能な構築チャンバー２０から余剰の原料粉末を排出するための余剰粉末排出部３２、作製されたワークピースを交換可能な構築チャンバー２０から取り外すためのワークピース取り外し部３４、及び交換可能な構築チャンバー２０がワークピース作製部１２の稼働位置に戻されるまで、交換可能な構築チャンバー２０を保管するための保管部３６とを有している。
【００４１】
交換可能な構築チャンバー２０がワークピース作製部１２の内の稼働位置に配置される時、交換可能な構築チャンバー２０は構築チャンバー支持部３８によって支持される。図に示される装置１０の実施態様において、構築チャンバー支持部３８は実質的に平板形状であり、交換可能な構築チャンバー２０の平坦な底面４２を支持する実質的に平坦な支持面４０を備えている。図２により詳細に記載される接触装置４４は、交換可能な構築チャンバー２０と構築チャンバー支持部３８の間で電気的な接続（接触）を形成する機能を有する。
【００４２】
接触装置４４は、複数の第１の電気伝導部４８を具備し、交換可能な構築チャンバー２０に固定された第１の接触部４６を備えている。各々の第１の電気伝導部４８には、直方体の第１の電気伝導部４８の矩形の側面によって規定される第１の平坦な導電面５０が設けられている。接触装置４４の第２の接触部５２は、構築チャンバー支持部３８に固定される。第１の接触部４６と同様に、第２の接触部５２も複数の第２の電気伝導部５４を具備し、各々の第２の電気伝導部５４には、直方体の第２の電気伝導部５４の矩形の側面によって規定される第２の平坦な導電面５６が設けられる。
【００４３】
交換可能な構築チャンバー２０が構築チャンバー支持部３８上に支持されるとき、第１の接触部４６の第１の電気伝導部４８に設けられた各々の第１の平坦な導電面５０は、第２の接触部５２の第２の電気伝導部５４に設けられたそれぞれ関連付けられた第２の平坦な導電面５６と作用する。結果として、交換可能な構築チャンバー２０と構築チャンバー支持部３８の間で電気的な接続が形成される。さらにその結果、交換可能な構築チャンバー２０は装置１０の電気的なシステムと接続される。
【００４４】
第１の接触部４６は、第１の接触部４６の複数の第１の電気伝導部４８に設けられた複数の第１の平坦な導電面５０が、交換可能な構築チャンバー２０の領域内に配置されるように、交換可能な構築チャンバー２０に固定される。第２の接触部５２は、第２の接触部５２の複数の第２の電気伝導部５４に設けられた複数の第２の平坦な導電面５６が、構築チャンバー支持部３８の支持面４０の領域内に配置されるように、構築チャンバー支持部３８に固定される。結果として、交換可能な構築チャンバー２０を構築チャンバー支持部３８上に置き、交換可能な構築チャンバー２０の底面４２が構築チャンバー支持部３８の支持面４０に対して接触するとすぐに、交換可能な構築チャンバー２０は構築チャンバー支持部３８に電気的に接続される。
【００４５】
図２から明らかなように、第２の接触部５２には、複数の固定された第２の電気伝導部５４が設けられており、すなわち、第２の接触部５２の複数の第２の電気伝導部５４は、複数の第２の電気伝導部５４に設けられた複数の第２の平坦な導電面５６が基盤部６０の表面６１と同じ高さで配置されるように、第２の接触部５２の基盤部６０内に形成されたそれぞれの凹部５８内に固定的に収められる。反対に、第１の接触部４６には、図３に示すように、基盤部６２内に形成されたそれぞれの複数の凹部６４内に、第１の接触部４６の基盤部６２に対して移動可能な複数の第１の電気伝導部４８が第１の位置と第２の位置の間で設けられる。複数の第１の電気伝導部４８が図３に示すように第１の位置に配置されるとき、複数の第１の電気伝導部４８に設けられた複数の第１の平坦な導電面５０は、基盤部６２の表面６６から突き出る。
【００４６】
これとは反対に、複数の第１の電気伝導部４８が（図２に示すように）第２の位置に配置されるとき、複数の第１の電気伝導部４８に設けられた複数の第１の平坦な導電面５０は、基盤部６２の表面６６と同じ高さで配置される。各々の第１の電気伝導部４８は、付勢手段６８によって第１の位置に偏らされる。図に記載された第１の接触部４６の実施態様においては、各々の付勢手段６８は、第１の接触部４６の基盤部６２内に形成された適切な収容部７０内に収められたばねの形態で設計される。ばねの第１の終端部は、収容部７０の終端面を押し、一方、ばねの第２の終端部は第１の電気伝導部４８の第１の平坦な導電面５０とは反対側の第１の電気伝導部４８の表面を押す。約１４Ｎの付勢力がそれぞれ関連付けられた付勢手段６８によって各々の第１の電気伝導部４８に加えられ、各々の第１の電気伝導部４８は関連付けられた第２の電気伝導部５４をそれぞれ押しつける。結果として、交換可能な構築チャンバー２０と構築チャンバー支持部３８の間の確実な電気的な接続の達成が保証される。
【００４７】
図１から明らかなように、装置１０はさらに、前後処理部２６の加熱部２８内に配置されている間に、交換可能な構築チャンバー２０を支持するように適合された構築チャンバー支持部３８を備えている。加熱部２８のこの更なる構築チャンバー支持部３８は、ワークピース作製部１２の構築チャンバー支持部３８と同様であり、交換可能な構築チャンバー２０を装置１０の電気的なシステムに接続する機能も有する。加えて、交換可能な構築チャンバー２０に固定された第１の接触部４６と、加熱部２８の構築チャンバー支持部３８に固定された第２の接触部５２との相互作用によって、加熱手段３０によって生成された熱を交換可能な構築チャンバー２０へ移動可能とするために、交換可能な構築チャンバー２０が加熱部２８の加熱手段３０に接続されることができる。
【符号の説明】
【００４８】
１０…三次元ワークピースを製造する装置、  １４…照射手段、
１６…プロセスチャンバー、  １８…キャリア、
２０…交換可能な構築チャンバー、  ２６…前後処理部、  ２８…加熱部、
３０…加熱手段、  ３８…構築チャンバー支持部、  ４０…支持面、
４２…底面、  ４４…接触装置、  ４６…第１の接触部、
４８…第１の電気伝導部、  ５０…第１の平坦な導電面、  ５２…第２の接触部、
５４…第２の電気伝導部、  ５６…第２の平坦な導電面、
５８…第２の接触部の凹部、  ６０…第２の接触部の基盤部、
６１…第２の接触部の基盤部の表面、  ６２…第１の接触部の基盤部、
６４…第１の接触部の凹部、  ６６…第１の接触部の基盤部の表面、
６８…付勢手段。
【図１】
2016121392.tif 000003
【図２】
2016121392.tif 000004
【図３】
2016121392.tif 000005